(57)【要約】【課題】放送番組をその内容に応じてより効率的に視聴できるように再生することができる番組記録再生装置を提供する。【解決手段】ＨＤＤレコーダ１００において、分割手段（ＣＰＵ１２１、分割プログラム１２３ｄ等）は、記録した放送番組データを複数の区間データに分割し、決定手段（ＣＰＵ１２１、決定プログラム１２３ｅ等）は、分割した各区間データの再生モードを決定するとともに、分割した各区間データの再生モードにおける再生速度の倍率を、前側の区間データから後側の区間データにかけて徐々に小さくなるように決定し、再生手段（ＣＰＵ１２１、再生プログラム１２３ｈ等）は、決定した各区間データの再生モードに基づいて、複数の区間データを順次再生する。【選択図】図１
2008199456.tif 000002
【特許請求の範囲】
【請求項１】
映像データ及び音声データから成る放送番組データを受信する受信手段と、当該受信手段により受信された放送番組データを記録する記録手段と、を備える番組記録再生装置において、
前記受信手段により受信された前記音声データにおける無声区間及び有声区間を特定する特定手段と、
前記特定手段により特定された前記無声区間及び前記有声区間に関する前記音声データの位置情報を記憶する位置情報記憶手段と、
前記記録手段により記録された放送番組データを、複数の区間データに分割する分割手段と、
前記分割手段により分割された各区間データの再生モードを決定するとともに、各区間データの当該再生モードにおける再生速度の倍率を、前側の区間データから後側の区間データにかけて徐々に小さくなるように決定する決定手段と、
前記位置情報記憶手段により記憶された前記位置情報に基づいて、前記区間データから抽出された有声区間の音声を文字情報に変換する文字情報化手段と、
前記区間データに含まれる映像データから、フレームデータを所定の間隔で取得するフレーム取得手段と、
前記決定手段により決定された各区間データの再生モードに基づいて、前記複数の区間データを順次再生する再生手段と、
を備え、
前記再生手段は、
前記複数の区間データのうち、前記決定手段により決定された再生モードが第１モードである第１区間データの場合、前記位置情報記憶手段により記憶された前記位置情報に基づいて、当該第１区間データにおける無声区間の放送番組データをスキップして、当該第１区間データにおける有声区間の放送番組データを第１倍率の再生速度で早送り再生し、
前記複数の区間データのうち、前記決定手段により決定された再生モードが第２モードである第２区間データの場合、前記位置情報記憶手段により記憶された前記位置情報に基づいて、当該第２区間データにおける無声区間の放送番組データを第２倍率の再生速度で早送り再生するとともに、当該第２区間データにおける有声区間の放送番組データを通常再生し、
前記複数の区間データのうち、前記決定手段により決定された再生モードが第３モードである第３区間データの場合、前記位置情報記憶手段により記憶された前記位置情報に基づいて、当該第３区間データにおける有声区間の音声データを、前記文字情報化手段により変換された文字情報の形式で再生し、
前記複数の区間データのうち、前記決定手段により決定された再生モードが第４モードである第４区間データの場合、当該第４区間データの映像データを、前記フレーム取得手段により取得されたフレームデータのみを再生することにより、スライド形式で再生することを特徴とする番組記録再生装置。
【請求項２】
映像データ及び音声データから成る放送番組データを受信する受信手段と、当該受信手段により受信された放送番組データを記録する記録手段と、を備える番組記録再生装置において、
前記記録手段により記録された放送番組データを、複数の区間データに分割する分割手段と、
前記分割手段により分割された各区間データの再生モードを決定する決定手段と、
前記決定手段により決定された各区間データの再生モードに基づいて、前記複数の区間データを順次再生する再生手段と、
を備えることを特徴とする番組記録再生装置。
【請求項３】
前記決定手段は、
前記分割手段により分割された各区間データの再生モードにおける再生速度の倍率を、前側の区間データから後側の区間データにかけて徐々に小さくなるように決定することを特徴とする請求項２に記載の番組記録再生装置。
【請求項４】
前記受信手段により受信された前記音声データにおける無声区間及び有声区間を特定する特定手段と、
前記特定手段により特定された前記無声区間及び前記有声区間に関する前記音声データの位置情報を記憶する位置情報記憶手段と、を備え、
前記再生手段は、
前記複数の区間データのうち、前記決定手段により決定された再生モードが第１モードである第１区間データの場合、前記位置情報記憶手段により記憶された前記位置情報に基づいて、当該第１区間データにおける無声区間の放送番組データをスキップして、当該第１区間データにおける有声区間の放送番組データを第１倍率の再生速度で早送り再生することを特徴とする請求項２又は３に記載の番組記録再生装置。
【請求項５】
前記再生手段は、
前記複数の区間データのうち、前記決定手段により決定された再生モードが第２モードである第２区間データの場合、前記位置情報記憶手段により記憶された前記位置情報に基づいて、当該第２区間データにおける無声区間の放送番組データを第２倍率の再生速度で早送り再生するとともに、当該第２区間データにおける有声区間の放送番組データを通常再生することを特徴とする請求項４に記載の番組記録再生装置。
【請求項６】
前記位置情報記憶手段により記憶された前記位置情報に基づいて、前記区間データから抽出された有声区間の音声を文字情報に変換する文字情報化手段を備え、
前記再生手段は、
前記複数の区間データのうち、前記決定手段により決定された再生モードが第３モードである第３区間データの場合、前記位置情報記憶手段により記憶された前記位置情報に基づいて、当該第３区間データにおける有声区間の音声データを、前記文字情報化手段により変換された文字情報の形式で再生することを特徴とする請求項４又は５に記載の番組記録再生装置。
【請求項７】
前記区間データに含まれる映像データから、フレームデータを所定の間隔で取得するフレーム取得手段を備え、
前記再生手段は、
前記複数の区間データのうち、前記決定手段により決定された再生モードが第４モードである第４区間データの場合、当該第４区間データの映像データを、前記フレーム取得手段により取得されたフレームデータのみを再生することにより、スライド形式で再生することを特徴とする請求項４〜６の何れか一項に記載の番組記録再生装置。
【発明の詳細な説明】
【技術分野】
【０００１】
本発明は、放送番組データの記録及び再生を行う番組記録再生装置に関する。
【背景技術】
【０００２】
従来、放送番組データを短縮して再生し、通常再生処理における標準のスピードよりも速いスピードでの視聴を可能とする技術が知られている。
例えば、特許文献１には、音情報から人の声が入っている区間を抽出し、その後、その区間における声のパワーを計算して、このパワーがある閾値を超える値を持つ区間のみ再生し、この閾値の値を増減することにより総再生時間を調整し、ユーザが指定した時間内に再生時間を調整することができる映像短縮再生装置が開示されている。
また、例えば、特許文献２には、計数した文字数に基づいて映像音声の再生速度を制御し、表示される文字数が所定数に達した場合、映像音声の再生速度を落とすこと或いは映像音声の再生を一時的停止させることにより、文字表示速度が速すぎて文字を十分に読み取ることができないことを防止する映像音声再生装置が開示されている。
また、例えば、特許文献３には、コマーシャル画面の時刻或いはそれに対応するメディアのアドレス情報を付加情報として記録し、再生時にこの付加情報に基づいてインデックス再生機能又はダイジェスト再生機能を行うことができる記録再生装置が開示されている。
【特許文献１】特開２００３−１６９２９８号公報
【特許文献２】特開平９−２００７００号公報
【特許文献３】特開平９−３１２８２７号公報
【発明の開示】
【発明が解決しようとする課題】
【０００３】
ところで、一般的に、例えば、ドラマ等の放送番組は後半にクライマックスがある等、前半の内容よりも後半の内容の方が重要度の高い番組が多い。そのため、放送番組の前半部分を標準のスピードよりも速いスピードで視聴し、放送番組の後半部分を標準のスピード或いは標準に近いスピードで視聴したいというユーザのニーズがある。ところが、特許文献１〜３の技術を初めとする従来の技術では、このようなユーザのニーズに応えることができないという問題があった。
【０００４】
本発明の課題は、放送番組をその内容に応じてより効率的に視聴できるように再生することができる番組記録再生装置を提供することである。
【課題を解決するための手段】
【０００５】
上記課題を解決するため、請求項１に記載の発明は、映像データ及び音声データから成る放送番組データを受信する受信手段と、当該受信手段により受信された放送番組データを記録する記録手段と、を備える番組記録再生装置において、
前記受信手段により受信された前記音声データにおける無声区間及び有声区間を特定する特定手段と、
前記特定手段により特定された前記無声区間及び前記有声区間に関する前記音声データの位置情報を記憶する位置情報記憶手段と、
前記記録手段により記録された放送番組データを、複数の区間データに分割する分割手段と、
前記分割手段により分割された各区間データの再生モードを決定するとともに、各区間データの当該再生モードにおける再生速度の倍率を、前側の区間データから後側の区間データにかけて徐々に小さくなるように決定する決定手段と、
前記位置情報記憶手段により記憶された前記位置情報に基づいて、前記区間データから抽出された有声区間の音声を文字情報に変換する文字情報化手段と、
前記区間データに含まれる映像データから、フレームデータを所定の間隔で取得するフレーム取得手段と、
前記決定手段により決定された各区間データの再生モードに基づいて、前記複数の区間データを順次再生する再生手段と、
を備え、
前記再生手段は、
前記複数の区間データのうち、前記決定手段により決定された再生モードが第１モードである第１区間データの場合、前記位置情報記憶手段により記憶された前記位置情報に基づいて、当該第１区間データにおける無声区間の放送番組データをスキップして、当該第１区間データにおける有声区間の放送番組データを第１倍率の再生速度で早送り再生し、
前記複数の区間データのうち、前記決定手段により決定された再生モードが第２モードである第２区間データの場合、前記位置情報記憶手段により記憶された前記位置情報に基づいて、当該第２区間データにおける無声区間の放送番組データを第２倍率の再生速度で早送り再生するとともに、当該第２区間データにおける有声区間の放送番組データを通常再生し、
前記複数の区間データのうち、前記決定手段により決定された再生モードが第３モードである第３区間データの場合、前記位置情報記憶手段により記憶された前記位置情報に基づいて、当該第３区間データにおける有声区間の音声データを、前記文字情報化手段により変換された文字情報の形式で再生し、
前記複数の区間データのうち、前記決定手段により決定された再生モードが第４モードである第４区間データの場合、当該第４区間データの映像データを、前記フレーム取得手段により取得されたフレームデータのみを再生することにより、スライド形式で再生することを特徴とする。
【０００６】
請求項２に記載の発明は、映像データ及び音声データから成る放送番組データを受信する受信手段と、当該受信手段により受信された放送番組データを記録する記録手段と、を備える番組記録再生装置において、
前記記録手段により記録された放送番組データを、複数の区間データに分割する分割手段と、
前記分割手段により分割された各区間データの再生モードを決定する決定手段と、
前記決定手段により決定された各区間データの再生モードに基づいて、前記複数の区間データを順次再生する再生手段と、
を備えることを特徴とする。
【０００７】
請求項３に記載の発明は、請求項２に記載の番組記録再生装置において、前記決定手段は、
前記分割手段により分割された各区間データの再生モードにおける再生速度の倍率を、前側の区間データから後側の区間データにかけて徐々に小さくなるように決定することを特徴とする。
【０００８】
請求項４に記載の発明は、請求項２又は３に記載の番組記録再生装置において、前記受信手段により受信された前記音声データにおける無声区間及び有声区間を特定する特定手段と、
前記特定手段により特定された前記無声区間及び前記有声区間に関する前記音声データの位置情報を記憶する位置情報記憶手段と、を備え、
前記再生手段は、
前記複数の区間データのうち、前記決定手段により決定された再生モードが第１モードである第１区間データの場合、前記位置情報記憶手段により記憶された前記位置情報に基づいて、当該第１区間データにおける無声区間の放送番組データをスキップして、当該第１区間データにおける有声区間の放送番組データを第１倍率の再生速度で早送り再生することを特徴とする。
【０００９】
請求項５に記載の発明は、請求項４に記載の番組記録再生装置において、前記再生手段は、
前記複数の区間データのうち、前記決定手段により決定された再生モードが第２モードである第２区間データの場合、前記位置情報記憶手段により記憶された前記位置情報に基づいて、当該第２区間データにおける無声区間の放送番組データを第２倍率の再生速度で早送り再生するとともに、当該第２区間データにおける有声区間の放送番組データを通常再生することを特徴とする。
【００１０】
請求項６に記載の発明は、請求項４又は５に記載の番組記録再生装置において、前記位置情報記憶手段により記憶された前記位置情報に基づいて、前記区間データから抽出された有声区間の音声を文字情報に変換する文字情報化手段を備え、
前記再生手段は、
前記複数の区間データのうち、前記決定手段により決定された再生モードが第３モードである第３区間データの場合、前記位置情報記憶手段により記憶された前記位置情報に基づいて、当該第３区間データにおける有声区間の音声データを、前記文字情報化手段により変換された文字情報の形式で再生することを特徴とする。
【００１１】
請求項７に記載の発明は、請求項４〜６の何れか一項に記載の番組記録再生装置において、前記区間データに含まれる映像データから、フレームデータを所定の間隔で取得するフレーム取得手段を備え、
前記再生手段は、
前記複数の区間データのうち、前記決定手段により決定された再生モードが第４モードである第４区間データの場合、当該第４区間データの映像データを、前記フレーム取得手段により取得されたフレームデータのみを再生することにより、スライド形式で再生することを特徴とする。
【発明の効果】
【００１２】
請求項１に記載の発明によれば、特定手段により、受信手段により受信された音声データにおける無声区間及び有声区間が特定され、位置情報記憶手段により、特定手段により特定された無声区間及び有声区間に関する音声データの位置情報が記憶され、分割手段により、記録手段により記録された放送番組データが、複数の区間データに分割され、決定手段により、分割手段により分割された各区間データの再生モードが決定されるとともに、各区間データの当該再生モードにおける再生速度の倍率が、前側の区間データから後側の区間データにかけて徐々に小さくなるように決定され、文字情報化手段により、位置情報記憶手段により記憶された位置情報に基づいて、区間データから抽出された有声区間の音声が文字情報に変換され、フレーム取得手段により、区間データに含まれる映像データから、フレームデータが所定の間隔で取得され、再生手段により、決定手段により決定された各区間データの再生モードに基づいて、複数の区間データが順次再生される。また、再生手段により、複数の区間データのうち、決定手段により決定された再生モードが第１モードである第１区間データの場合、位置情報記憶手段により記憶された位置情報に基づいて、第１区間データにおける無声区間の放送番組データがスキップされて、第１区間データにおける有声区間の放送番組データが第１倍率の再生速度で早送り再生され、複数の区間データのうち、決定手段により決定された再生モードが第２モードである第２区間データの場合、位置情報記憶手段により記憶された位置情報に基づいて、第２区間データにおける無声区間の放送番組データが第２倍率の再生速度で早送り再生されるとともに、第２区間データにおける有声区間の放送番組データが通常再生され、複数の区間データのうち、決定手段により決定された再生モードが第３モードである第３区間データの場合、位置情報記憶手段により記憶された位置情報に基づいて、当該第３区間データにおける有声区間の音声データが、文字情報化手段により変換された文字情報の形式で再生され、複数の区間データのうち、決定手段により決定された再生モードが第４モードである第４区間データの場合、第４区間データの映像データが、フレーム取得手段により取得されたフレームデータのみが再生されることにより、スライド形式で再生される。
したがって、放送番組データが複数の区間データに分割され、各区間データがそれぞれ個別に決定された再生モードで再生されることとなって、放送番組をその内容に応じてより効率的に視聴できるように再生することができる番組記録再生装置を提供することができる。具体的には、第１区間データを再生する場合、セリフ等の無い無声区間を飛ばして、セリフ等の有る有声区間のみを再生することができる。また、第２区間データを再生する場合、セリフ等の無い無声区間を速いスピードで再生するとともに、セリフ等の有る有声区間を通常のスピードで再生することができる。また、第３区間データを再生する場合、セリフをテキストにして表示することができる。さらに、第４データを再生する場合、映像をスライド形式で表示することができる。さらに、放送番組の前側部分をより速いスピードで再生するとともに、放送番組の後側部分をより遅いスピードで再生されるため、番組の後側部分の重要度が高い放送番組を、より効率的に視聴することができる。
【００１３】
請求項２に記載の発明によれば、分割手段により、記録手段により記録された放送番組データが、複数の区間データに分割され、決定手段により、分割手段により分割された各区間データの再生モードが決定され、再生手段により、決定手段により決定された各区間データの再生モードに基づいて、複数の区間データが順次再生される。
したがって、放送番組データが複数の区間データに分割され、各区間データがそれぞれ個別に決定された再生モードで再生されることとなって、放送番組をその内容に応じてより効率的に視聴できるように再生することができる番組記録再生装置を提供することができる。
【００１４】
請求項３に記載の発明によれば、請求項２に記載の発明の効果が得られるのは無論のこと、決定手段により、分割手段により分割された各区間データの再生モードにおける再生速度の倍率が、前側の区間データから後側の区間データにかけて徐々に小さくなるように決定される。
したがって、放送番組の前側部分をより速いスピードで再生するとともに、放送番組の後側部分をより遅いスピードで再生することが可能となって、番組の後側部分の重要度が高い放送番組を、より効率的に視聴することができる。
【００１５】
請求項４に記載の発明によれば、請求項２又は３に記載の発明の効果が得られるのは無論のこと、特定手段により、受信手段により受信された音声データにおける無声区間及び有声区間が特定され、位置情報記録手段により、特定手段により特定された無声区間及び有声区間に関する音声データの位置情報が記憶され、再生手段により、複数の区間データのうち、決定手段により決定された再生モードが第１モードである第１区間データの場合、位置情報記憶手段により記憶された位置情報に基づいて、第１区間データにおける無声区間の放送番組データがスキップされて、第１区間データにおける有声区間の放送番組データが第１倍率の再生速度で早送り再生される。
したがって、セリフ等の無い無声区間を飛ばして、セリフ等の有る有声区間のみを再生することが可能となって、放送番組をより効率的に視聴することができる。
【００１６】
請求項５に記載の発明によれば、請求項４に記載の発明の効果が得られるのは無論のこと、再生手段により、複数の区間データのうち、決定手段により決定された再生モードが第２モードである第２区間データの場合、位置情報記憶手段により記憶された位置情報に基づいて、当該第２区間データにおける無声区間の放送番組データが第２倍率の再生速度で早送り再生されるとともに、当該第２区間データにおける有声区間の放送番組データが通常再生される。
したがって、セリフ等の無い無声区間を速いスピードで再生するとともに、セリフ等の有る有声区間を通常のスピードで再生することが可能となって、放送番組をより効率的に視聴することができる。
【００１７】
請求項６に記載の発明によれば、請求項４又は５に記載の発明の効果が得られるのは無論のこと、文字情報化手段により、位置情報記憶手段により記憶された位置情報に基づいて、区間データから抽出された有声区間の音声が文字情報に変換され、再生手段により、複数の区間データのうち、決定手段により決定された再生モードが第３モードである第３区間データの場合、位置情報記憶手段により記憶された位置情報に基づいて、当該第３区間データにおける有声区間の音声データが、文字情報化手段により変換された文字情報の形式で再生される。
したがって、セリフをテキストにして表示することが可能となって、放送番組をより効率的に視聴することができる。
【００１８】
請求項７に記載の発明によれば、請求項４〜６の何れか一項に記載の発明の効果が得られるのは無論のこと、フレーム取得手段により、区間データに含まれる映像データから、フレームデータが所定の間隔で取得され、再生手段により、複数の区間データのうち、決定手段により決定された再生モードが第４モードである第４区間データの場合、当該第４区間データの映像データが、フレーム取得手段により取得されたフレームデータのみが再生されることにより、スライド形式で再生される。
したがって、映像をスライド形式で表示することが可能となって、放送番組をより効率的に視聴することができる。
【発明を実施するための最良の形態】
【００１９】
以下、本発明の実施の形態を、図面を参照しながら、詳細に説明する。
本実施形態では、番組記録再生装置として、磁気ディスクに対する記録を行うＨＤＤ（Hard Disc Drive；固定磁気ディスクドライブ）レコーダを例に説明する。
【００２０】
本実施形態のＨＤＤレコーダ１００は、図１に示すように、映像・音声データから成る放送番組データを受信して磁気ディスク８１に録画するとともに、当該磁気ディスク８１に録画された放送番組データの再生を行って映像・音声を出力する装置本体１と、ユーザがキー操作を行って各種指示を入力することにより装置本体１を操作するためのキー操作部２１と、を備えて構成されている。キー操作部２１は、例えば、装置本体１を遠隔操作するためのリモートコントローラ（以下、「リモコン」と称する）２に備わる。また、装置本体１には、テレビジョン受像機２００等の外部装置が接続されており、磁気ディスク８１に記録された放送番組データは、当該テレビジョン受像機２００に出力されることとなる。
【００２１】
まず、本実施形態におけるＨＤＤレコーダ１００のリモコン２の要部構成について説明する。
リモコン２は複数のキーを備えるキー操作部２１を備えて成り、ユーザのキー操作に基づいて装置本体１を遠隔操作する。具体的には、キー操作部２１において、ユーザによりキーの押下操作がなされると、押下操作されたキーに対応する赤外線等の入力操作信号が出力され、当該入力操作信号が装置本体１に設けられたリモコン信号受光部１１を介して、制御部１２に入力される。なお、キー操作部２１が、装置本体１の前面部等に設けられている構成であっても良い。
キー操作部２１は、例えば、テレビジョン受像機２００の映像表示部２００ａに各種メニュー画面を表示させるためのメニューキー２１ａと、録画処理を行うための録画キー２１ｂと、通常再生処理を行うための通常再生キー２１ｃと、分割再生処理を開始するための分割再生キー２１ｄを備えている。また、図示は省略するが、メニュー画面等において所望の項目を確定するための決定キー、メニュー画面等において所望の項目を選択するためのカーソルキー、チャンネル番号の指示入力等を行うための数字が割り当てられたテンキー、等が設けられている。
当該キー操作部２１において、ユーザにより録画キー２１ｂがキー操作されると、後述する記録プログラム１２３ａ、特定プログラム１２３ｂ、位置情報記憶プログラム１２３ｃの実行による録画処理が開始されることとなる。また、ユーザにより分割再生キー２１ｄが押下されると、後述する分割プログラム１２３ｄ、決定プログラム１２３ｅ、文字情報化プログラム１２３ｆ、フレーム取得プログラム１２３ｇ、再生プログラム１２３ｈの実行による分割再生処理が開始されることとなる。
【００２２】
なお、以下の説明において、分割再生処理とは、記録した放送番組データが再生される際に、放送番組データが複数の区間データに分割されるとともに、各区間データがそれぞれ個別に決定された再生モードで再生される処理をいう。
【００２３】
次に、本実施形態におけるＨＤＤレコーダ１００の装置本体１の要部構成について説明する。
本ＨＤＤレコーダ１００は、装置本体１内に、放送信号を受信するアンテナ３と、アンテナ３により受信された放送信号から所定の放送チャンネルの放送番組データを選局する受信手段としてのチューナ４と、放送番組データからＥＰＧ情報を抽出するＥＰＧ（Electric Program Guide）抽出部５１と、入力される音声データにおける無声区間／有声区間の特定を行う音声解析部５２と、チューナ４から入力された放送番組データに対して所定の圧縮処理を行うエンコーダ部６と、放送番組データの入出力を制御して、エンコーダ部６から入力された放送番組データをディスクドライブ部８に供給するとともに、ディスクドライブ部８から取り込んだ放送番組データをデコーダ部９に供給するデータプロセッサ７と、磁気ディスク８１に対して放送番組データの記録及び再生を行う記録手段及び再生手段としてのディスクドライブ部８と、ディスクドライブ部８から出力された放送番組データに所定の伸張処理を行うデコーダ部９と、音声データを文字情報化するテキスト変換部１０と、リモコン２から送信される入力操作信号を受信するとともに、当該入力操作信号を制御部１２に出力するリモコン信号受光部１１と、装置本体１全体を統括制御する制御部１２と、等を備えて構成され、各部は制御バス１３により接続されている。
【００２４】
チューナ４は、例えば、図示は省略するが、高周波増幅回路と、局部発振回路及び混合回路から成る周波数変換回路と、を備えて構成されており、アンテナ３等により入力されたデジタルテレビジョン放送信号（ＲＦ信号）と、局部発振回路から出力される局部発振信号とを混合回路により混合し、当該放送信号の周波数を選局するための制御部１２からの制御出力に応じて、特定周波数帯のテレビジョン放送信号を受信する。そして当該受信したテレビジョン放送信号に所定の処理を行うことによりＴＳ（トランスポートストリーム）に変換してエンコーダ部６に出力する。チューナ４は、これにより受信手段として機能する。
【００２５】
ＥＰＧ抽出部５１は、チューナ４から入力されるＴＳ形式の放送番組データから、ＥＰＧ情報の抽出を行う。当該ＥＰＧ抽出部５１において抽出されるＥＰＧ情報は、例えば、放送番組データのタイトル、放送チャンネル、放送開始時刻、放送終了時刻、放送局、ジャンル情報、番組内容等を示す情報である。
【００２６】
音声解析部５２は、例えば、入力される音声データにおける無声区間／有声区間の特定を行う。ここでは、例えば、音声データの信号レベルが所定の閾値以上である区間を有声区間と特定するとともに、音声データの信号レベルが所定の閾値以下であり、且つ、所定長以上（例えば、３秒以上）の区間を無声区間と特定する方法により無声区間／有声区間を特定する。
なお、本発明において「有声区間」とは、音声データのうち、人間の発した音声が含まれる区間のことであり、また、「無声区間」とは、音声データのうち、人間の発した音声が含まれない区間のことである。
【００２７】
エンコーダ部６は、例えば、ビデオエンコーダ６１と、オーディオエンコーダ６２と、フォーマッタ６３と、等を備えて構成されている。
ビデオエンコーダ６１は、映像信号をＭＰＥＧ２（Moving Picture Experts Group 2）方式に従って圧縮する。具体的には、ビデオエンコーダ６１は、映像信号に対して、ＤＣＴ（Discrete Cosine Transform）、再量子化、動き補償、可変長符号化、及び多重化等の各種処理を行うことで、情報量の圧縮を行う。
オーディオエンコーダ６２は、例えば、音声信号をドルビーＡＣ３（Dolby Audio Compression 3）方式に従って圧縮する。この方式を採用したオーディオエンコーダ６２は、音声データをＭＤＣＴ（Modified Discrete Cosine Transform）により一旦サンプリング期間毎に周波数成分に変換して、再量子化、ビット数割り当て等の処理を行うことで、情報量の圧縮を行う。当該オーディオエンコーダ６２においてエンコードされた音声信号は、フォーマッタ６３に出力される。
フォーマッタ６３は、ビデオエンコーダ６１から入力される映像データ及びオーディオエンコーダ６２から入力される音声データに対してストリーム合成を行い、ディスクドライブ部８において磁気ディスク８１に書き込み可能なファイル形式に変換して、データプロセッサ７に供給する。
【００２８】
データプロセッサ７は、例えば、バッファメモリ７ａを備え、ＣＰＵ１２１からの制御出力に基づいて、ディスクドライブ部８に対する音声・映像データの入出力経路を設定し、データの読み出し／書き込み等、データの入力及び出力を制御する。
具体的には、データプロセッサ７は、例えば、エンコーダ部６から入力された放送番組データに対して、誤り訂正等の処理を行い、一旦バッファメモリ７ａに蓄積した後に、ＣＰＵ１２１からの制御出力に応じて所定のレートでディスクドライブ部８に出力するとともに、ディスクドライブ部８から読み込んだ放送番組データに対して、誤り訂正等の処理を行い、一旦バッファメモリ７ａに蓄積した後に、ＣＰＵ１２１からの制御出力に応じて所定のレートでデコーダ部９に出力する。
【００２９】
ディスクドライブ部８は、例えば、内蔵された磁気ディスク８１と、磁気ディスク８１に対するデータの記録或いは磁気ディスク８１に記録されたデータの読み出しを行う磁気ヘッド８２と、磁気ディスク８１を回転駆動させるスピンドルモータ８３と、磁気ヘッド８２を磁気ディスク８１の半径方向に移動させるためのアクチュエータ８４と、等を備えて構成され、磁気ヘッド８２と磁気ディスク８１との間には、電流を供給することにより磁界を発生する微小な隙間が設けられている。磁気ディスク８１は、図示しないアルミ基板やガラス基板等のディスク基板、下地層、磁性層、保護膜、潤滑剤から構成されており、両面に情報の記録が可能となっている。そして、当該磁気ディスク８１を高速に回転させ、アクチュエータ８４により磁気ヘッド８２を磁気ディスク８１上に移動させてデータの読み書きを行う。
【００３０】
ディスクドライブ部８に内蔵された磁気ディスク８１に記録されるデータについて、さらに詳しく説明する。
磁気ディスク８１は、磁気ディスク８１の半径方向に放射状に埋め込まれたサーボデータ領域と、ユーザデータ領域と、を備えて構成されている。サーボデータ領域は、トラック番号と、セクタ番号と、バーストデータとから構成されており、ディスクドライブ部８は、書き込み命令と書き込み先のアドレスを受け取ると、当該サーボデータに基づいて磁気ヘッド８２の現在位置を特定し、目的のアドレスに磁気ヘッド８２を移動してデータを書き込む。ユーザデータ領域は、ヘッダ領域及びコンテンツ領域を含む構成となっており、コンテンツ領域には、記録の対象である放送番組データが格納される。また、ヘッダ領域には、プリアンブルや、シンクマーク、エラー訂正符号の他、後述の位置情報記憶プログラム１２３ｃの実行において特定された放送番組データにおける有声区間及び無声区間の位置情報、ＥＰＧ抽出部５において放送番組データから抽出されたタイトル情報、ジャンル情報、放送時間情報等のＥＰＧ情報が格納される。
【００３１】
磁気ディスク８１のコンテンツ領域において、放送番組データは、例えば、ＭＰＥＧ方式で記憶される。ＭＰＥＧ方式では、映像データがＩ（Intra-coded）ピクチャ、Ｐ（Predictive-coded）ピクチャ、Ｂ（Bidirectionally predictive-coded）の３種類のピクチャに符号化されるＧＯＰ(Group Of Pictures)構造がとられている。このうち、Ｉピクチャのみ或いはＩピクチャ及びＰピクチャのみを取り出して再生すれば、早送り再生を行うことができる。
当該ディスクドライブ部８は、チューナ４により受信され、エンコーダ部６、データプロセッサ７等において所定の処理が行われた放送番組データを、磁気ディスク８１に記録することにより記録手段として機能するとともに、磁気ディスク８１に録画中の放送番組データを読み出す通常再生処理及び早送り再生処理を行うことにより再生手段として機能する。
【００３２】
デコーダ部９は、例えば、分離部９１と、ビデオデコーダ９２と、オーディオデコーダ９３と、Ｄ／Ａ変換部９４と、等を備えて構成されている。
分離部９１は、ディスクドライブ部８からデータプロセッサ７を介して出力された放送番組データを映像データ、音声データ、副映像データ等の複数のストリームに分離する。
ビデオデコーダ９２は、分離部９１から入力された映像データを、ＭＰＥＧ２方式に従って伸張する。具体的には、ビデオデコーダ９２は、映像データに、可変長復号化、逆量子化、逆ＤＣＴ、動き補正等の各種処理を行うことで、映像データの伸張を行う。
オーディオデコーダ９３は、分離部９１から入力された音声データをドルビーＡＣ−３方式に従って伸張する。
Ｄ／Ａ変換部９４は、量子化された映像データ又は音声データを、その量子化データに応じたアナログ量に変換することにより、それぞれアナログ変換する。
当該Ｄ／Ａ変換部９４においてアナログ変換された映像データは、図示しないＯＳＤ回路においてＯＳＤデータ等の合成が行われ、図示しないフレームメモリに一旦格納された後に、ＣＰＵ１２１からの制御出力に応じて、装置本体１に接続されたテレビジョン受像機２００の映像表示部２００ａに出力されることとなる。また、Ｄ／Ａ変換部９４においてアナログ変換された音声データは、装置本体１に接続されたテレビジョン受像機２００の音声出力部２００ｂに出力されることとなる。
【００３３】
テキスト変換部１０は、例えば、制御部１２の制御に従い、位置情報記憶プログラム１２３ｃの実行により記憶された位置情報に基づいて、区間データから抽出され、文字情報変換処理の対象としてオーディオデコーダ９３から出力された有声区間の音声を文字情報に変換する。
具体的には、テキスト変換部１０は、例えば、有声区間の音声データスペクトルを分析して母音を検出する。そして、検出した母音に基づいて単語の候補を選択し、次に、隠れマルコフモデル（HMM: Hidden Markov Model）等の音声認識モデルに基づいて子音を照合して、最も確からしい候補を認識結果として特定し、この認識結果をテキストに変換して出力する処理を行う。
【００３４】
リモコン信号受光部１１は、リモコン２のキー操作部２１に備わる各種キーがユーザにより押下操作されることにより出力された赤外線等の入力操作信号を受信し、増幅、検波、誤り訂正等の処理を施して、当該入力操作信号を制御部１２に対して出力する。
【００３５】
制御部１２は、ＣＰＵ（Central Processing Unit）１２１、メモリ部１２２、ＲＯＭ（Read Only Memory）１２３等を備えて構成されている。
【００３６】
ＣＰＵ１２１は、装置本体１の各部から入力された入力信号や、リモコン２のキー操作部２１における各種キーの押下操作によってリモコン信号受光部１１を介して入力された入力操作信号等に応じて、ＲＯＭ１２３に格納された各種プログラムを実行するとともに、実行にかかるプログラムに基づいて装置本体１の各部に出力信号を出力することにより、ＨＤＤレコーダ１００の動作全般を統括制御する。
【００３７】
メモリ部１２２は、例えば、ＲＡＭ（Random Access Memory）等の揮発性メモリからなるワークエリア１２２１を備えており、ＣＰＵ１２１によって各種プログラムが実行される際に生じる処理結果や、入力されたデータ等をこのワークエリア１２２１に記憶させる。また、メモリ部１２２は、ＥＰＲＯＭ（Erasable Programmable ROM）等の不揮発性メモリからなるデータエリア１２２２を備えている。
【００３８】
ＲＯＭ１２３は、例えば、不揮発性メモリからなるプログラム格納エリアを有しており、具体的には、記録プログラム１２３ａ、特定プログラム１２３ｂ、位置情報記憶プログラム１２３ｃ、分割プログラム１２３ｄ、決定プログラム１２３ｅ、文字情報化プログラム１２３ｆ、フレーム取得プログラム１２３ｇ、再生プログラム１２３ｈ等を備えている。
【００３９】
記録プログラム１２３ａは、ＣＰＵ１２１に、チューナ４により受信された放送番組データを記録する機能を実現させるためのプログラムである。
具体的には、リモコン２のキー操作部２１における録画キー２１ｂのキー操作に基づいて、チューナ４による選局処理が行われて放送番組データの受信が開始されると、ＣＰＵ１２１は、エンコーダ部６、データプロセッサ７等において前述した処理を行わせ、磁気ディスク８１に記録可能なフォーマットに変換された放送番組データを、ディスクドライブ部８において磁気ディスク８１に記録させる。
ＣＰＵ１２１は、かかる記録プログラム１２３ａを実行することにより、ディスクドライブ部８とともに記録手段として機能する。
【００４０】
特定プログラム１２３ｂは、ＣＰＵ１２１に、チューナ４により受信された音声データにおける無声区間及び有声区間を特定する機能を実現させるためのプログラムである。
具体的には、ＣＰＵ１２１は、前述の記録プログラム１２３ａの実行において、チューナ４により受信される放送番組データが磁気ディスク８１に記録される際に、受信される放送番組データから音声データを抽出し、音声解析部５２において、抽出した音声データの解析を行って、当該音声データにおける無声区間及び有声区間を特定する。
ＣＰＵ１２１は、かかる特定プログラム１２３ｂを実行することにより特定手段として機能する。
【００４１】
位置情報記憶プログラム１２３ｃは、ＣＰＵ１２１に、特定プログラム１２３ｂの実行により特定された無声区間及び有声区間に関する音声データの位置情報を記憶する機能を実現させるためのプログラムである。
具体的には、ＣＰＵ１２１は、特定プログラム１２３ｂの実行において、音声解析部５２における音声解析により、受信される音声データの無声区間及び有声区間が特定されると、特定された無声区間・有声区間の位置情報を、記録媒体のヘッダ領域に、放送番組データと対応付けて記憶させる。位置情報は、例えば、時間情報として記憶され、放送番組データにおける各無声区間及び有声区間の位置を示す時間情報と、各無声／有声区間の磁気ディスク８１における記録位置を示すアドレス等が記憶されて、任意の区間をスキップしたり、読み出すことができるようになっている。
ＣＰＵ１２１は、かかる位置情報記憶プログラム１２３ｃを実行することにより、位置情報記憶手段として機能する。
【００４２】
分割プログラム１２３ｄは、ＣＰＵ１２１に、記録プログラム１２３ａの実行により記録された放送番組データを、複数の区間データに分割する機能を実現させるためのプログラムである。
具体的には、ＣＰＵ１２１は、記録済みの放送番組データを再生する際に、ユーザに番組の分割数を指定させ、ユーザにより指定された分割数に基づいて記録済みの放送番組データを複数の区間データに分割する。例えば、リモコン２のキー操作部２１において分割再生キー２１ｄが押下操作され、当該分割再生キー２１ｄに対応する入力操作信号がリモコン信号受光部１１を介して制御部１２に入力されると、ＣＰＵ１２１は、メモリ部１２２等の所定の領域に記憶された番組分割数設定画面用のＯＳＤデータを読み出し、読み出したＯＳＤデータを、図示しないＯＳＤ回路により、装置本体１に接続されるテレビジョン受像機２００の映像表示部２００ａに出力される映像信号に付加することにより、映像表示部２００ａに番組分割数設定画面を表示させる。
図２は、映像表示部２００ａに表示される番組分割数設定画面を例示する図である。図２に示すように、番組分割数設定画面は、分割再生処理における放送番組データの分割数を、ユーザに選択させるようになっている。例えば、番組分割数設定画面では、放送番組データの分割数を選択可能となっており、キー操作部２１におけるキー操作により、何れかの分割数がユーザにより選択されると、選択された分割数（例えば、２分割）が、メモリ部１２２の所定の領域に一時的に記憶されることとなる。
【００４３】
さらに、ＣＰＵ１２１は、記録プログラム１２３ａの実行により磁気ディスク８１に記録された放送番組データを、番組分割数設定画面においてユーザにより指定された分割数の区間データに等間隔で分割する。
図３は、分割プログラム１２３ｄの実行による放送番組データの分割を説明するための図である。図３（ａ）は、記録プログラム１２３ａの実行により磁気ディスク８１に記録された分割前の放送番組データであり、特定プログラム１２３ｂの実行により、音声データに含まれる無声区間と有声区間が特定され、特定された無声／音声区間の位置情報が磁気ディスク８１のヘッダ領域に予め記憶されている。
例えば、図３（ａ）の放送番組データを対象として、前述した番組分割数設定画面において、分割数が「２分割」と指定された場合には、放送番組データは、図３（ｂ）に示すように、区間Ａと区間Ｂの区間データに分割される。２分割された場合の区間Ａにおいて、無声区間はＳ１・Ｓ３であり、有声区間はＳ２・Ｓ４である。また、区間Ｂにおいて、無声区間はＳ６・Ｓ８であり、有声区間はＳ５・Ｓ７である。
また、例えば、図３（ａ）の放送番組データを対象として、前述した番組分割数設定画面において、分割数が「３分割」と指定された場合には、放送番組データは、図３（ｃ）に示すように、区間Ａ、区間Ｂ、区間Ｃの区間データに分割される。３分割された場合の区間Ａにおいて、無声区間はＳ９・Ｓ１１であり、有声区間はＳ１０である。また、区間Ｂにおいて、無声区間はＳ１２・Ｓ１４であり、有声区間はＳ１３である。さらに、区間Ｃにおいて、無声区間はＳ１５・Ｓ１７であり、有声区間はＳ１６である。
ＣＰＵ１２１は、かかる分割プログラム１２３ｄを実行することにより、分割手段として機能する。
【００４４】
決定プログラム１２３ｅは、ＣＰＵ１２１に、分割プログラム１２３ｄの実行により分割された各区間データの再生モードを決定するとともに、各区画データの当該再生モードにおける再生速度の倍率を、前側の区間データから後側の区間データにかけて徐々に小さくなるように決定する機能を実現させるためのプログラムである。
具体的には、ＣＰＵ１２１は、前述の分割プログラム１２３ｄの実行において、ユーザにより、放送番組データの分割数が指定されると、続いて、分割された各区間データの再生モードをユーザに指定させる。例えば、番組分割数設定画面において放送番組データの分割数が指定されると、ＣＰＵ１２１は、メモリ部１２２等の所定の領域に記憶された再生モード設定画面用のＯＳＤデータを読み出し、読み出したＯＳＤデータを、図示しないＯＳＤ回路により、テレビジョン受像機２００の映像表示部２００ａに出力される映像信号に付加することにより、映像表示部２００ａに再生モード設定画面を表示させる。
図４は、指定された分割数が２分割である場合に、テレビジョン受像機２００の映像表示部２００ａに表示される再生モード設定画面を例示する図であり、図５は、指定された分割数が３分割である場合に、テレビジョン受像機２００の映像表示部２００ａに表示される再生モード設定画面を例示する図である。図４及び図５に示すように、再生モード設定画面は、分割された放送番組データである各区間データの再生モードを、第１モード〜第４モードの４つモードから、ユーザに選択させるようになっている。当該再生モード設定画面において、キー操作部２１におけるキー操作により、各区間データの再生モードがユーザにより選択されると、選択された各区間データの再生モードが、メモリ部１２２の所定の領域に一時的に記憶されることとなる。
【００４５】
ここで、第１モードとは、第１区間データ（再生モードが第１モードと決定された区間データ）における無声区間の放送番組データをスキップして、第１区間データにおける有声区間の放送番組データを第１倍率の再生速度で早送り再生するモードである。また、第２モードとは、第２区間データ（再生モードが第２モードと決定された区間データ）における無声区間の放送番組データを第２倍率の再生速度で早送り再生するとともに、第２区間データにおける有声区間の放送番組データを通常再生するモードである。また、第３モードとは、第３区間データ（再生モードが第３モードと決定された区間データ）における有声区間の音声データを、文字情報化プログラム１２３ｆの実行により変換された文字情報の形式で再生するとともに、早送り再生を行うモードである。第４区間データ（再生モードが第４モードと決定された区間データ）における映像データを、フレーム取得プログラム１２３ｇの実行により取得されたフレームデータのみを再生することにより、スライド形式で再生するとともに、早送り再生を行うモードである。
【００４６】
さらに、ＣＰＵ１２１は、再生モード設定画面において、各区間データの再生モードがユーザにより設定されると、設定された再生モードによる各区間データの再生速度の倍率を、前側の区間データから後側の区間データにかけて徐々に小さくなるように決定する。
具体的には、放送番組データが区間Ａと区間Ｂに２分割された場合において、図４に示すように、再生モード設定画面において、番組の前半部分である区間Ａの再生モードが第１モードと決定されて第１区間データとされ、番組の後半部分である区間Ｂの再生モードが第２モードと決定されて第２区間データとされると、ＣＰＵ１２１は、例えば、第１区間データである区間Ａの再生速度の倍率（第１倍率）を２倍、第２区間データである区間Ｂの再生速度の倍率（第２倍率）を、区間Ａの再生倍率よりも小さい１．５倍と決定する。なお、詳細には、第１モードでは、無声区間がスキップされて有声区間のみ再生されるため、当該第１倍率は区間Ａにおける有声区間の再生倍率を示すこととなる。また、第２モードでは、有声区間が通常再生されて無声区間のみ早送り再生されるため、当該第２倍率は区間Ｂにおける無声区間の再生倍率を示すこととなる。
また、放送番組データが区間Ａ〜区間Ｃに３分割された場合において、図５に示すように、再生モード設定画面において、番組の前側部分である区間Ａの再生モードが第４モードと決定されて第４区間データとされ、番組の中間部分である区間Ｂの再生モードが第３モードと決定されて第３区間データとされ、番組の後側部分である区間Ｃの再生モードが第２モードと決定されて第２区間データとされると、ＣＰＵ１２１は、例えば、第４区間データである区間Ａの再生速度の倍率（第４倍率）を３倍、第３区間データである区間Ｂの再生速度の倍率（第３倍率）を区間Ａの再生倍率よりも小さい２．５倍、第２区間データである区間Ｃの再生速度の倍率（第２倍率）を区間Ｂの再生倍率よりも小さい２倍と決定する。なお、詳細には、第２モードでは、有声区間が通常再生されて無声区間のみ早送り再生されるため、当該第２倍率は区間Ｃにおける無声区間の再生倍率を示すこととなる。
ＣＰＵ１２１は、かかる決定プログラム１２３ｅを実行することにより、決定手段として機能する。
【００４７】
文字情報化プログラム１２３ｆは、ＣＰＵ１２１に、位置情報記憶プログラム１２３ｃの実行により記憶された位置情報に基づいて、区間データから抽出された有声区間の音声を文字情報に変換する機能を実現させるためのプログラムである。
具体的には、ＣＰＵ１２１は、後述する再生プログラム１２３ｈの実行に際し、決定プログラム１２３ｅの実行により決定された再生モードが第３モードである第３区間データ（例えば、図３（ｃ）に例示する区間Ｂのデータ）がディスクドライブ部８から読み出されると、当該第３区間データに含まれる有声区間の音声データを、位置情報記憶プログラム１２３ｃの実行により記憶された位置情報に基づいて特定し、この音声データをテキスト変換部１０に出力して文字情報に変換する。
ＣＰＵ１２１は、かかる文字情報化手段を実行することにより、テキスト変換部１０とともに文字情報化手段として機能する。
【００４８】
フレーム取得プログラム１２３ｇは、ＣＰＵ１２１に、区間データに含まれる映像データから、フレームデータを所定の間隔で取得する機能を実現させるためのプログラムである。
具体的には、ＣＰＵ１２１は、後述する再生プログラム１２３ｈの実行に際し、決定プログラム１２３ｅの実行により決定された再生モードが第４モードである第４区間データ（例えば、図３（ｃ）に例示する区間Ｃのデータ）がディスクドライブ部８から読み出されると、当該第４区間データに含まれる映像データから、フレームデータを所定の間隔で取得する。なお、当該フレーム取得プログラム１２３ｇでは、早送り再生処理において取得されるフレームデータの間隔よりも広い間隔（例えば、１秒間隔）でフレームデータが取得される。
ＣＰＵ１２１は、かかるフレーム取得プログラム１２３ｇを実行することにより、フレーム取得手段として機能する。
【００４９】
再生プログラム１２３ｈは、ＣＰＵ１２１に、決定プログラム１２３ｅの実行により決定された区間データの再生速度の倍率に基づいて、複数の区間データを順次再生する機能を実現させるためのプログラムである。
具体的には、ＣＰＵ１２１は、複数の区間データのうち、決定プログラム１２３ｅの実行により決定された再生モードが第１モードである第１区間データの場合、位置情報記憶プログラム１２３ｃの実行により記憶された位置情報に基づいて、第１区間データにおける無声区間の放送番組データをスキップして、第１区間データにおける有声区間の放送番組データを第１倍率の再生速度で早送り再生する。また、ＣＰＵ１２１は、決定プログラム１２３ｅの実行により決定された再生モードが第２モードである第２区間データの場合、位置情報記憶プログラム１２３ｃの実行により記憶された位置情報に基づいて、第２区間データにおける無声区間の放送番組データを第２倍率の再生速度で早送り再生するとともに、第２区間データにおける有声区間の放送番組データを通常再生する。また、ＣＰＵ１２１は、決定プログラム１２３ｅの実行により決定された再生モードが第３モードである第３区間データの場合、位置情報記憶プログラム１２３ｃの実行により記憶された位置情報に基づいて、第３区間データにおける有声区間の音声データを、文字情報化プログラム１２３ｆの実行により変換された文字情報の形式で再生する。さらに、ＣＰＵ１２１は、決定プログラム１２３ｅの実行により決定された再生モードが第４モードである第４区間データの場合、第４区間データの映像データを、フレーム取得プログラム１２３ｇの実行により取得されたフレームデータのみを再生することにより、スライド形式で再生する。
上述の早送り再生は、磁気ディスク８１のコンテンツ領域にＧＯＰ構造で記憶された放送番組データから、Ｉピクチャのみ、或いは、Ｉピクチャ及びＰピクチャのみを取り出してデコードすることにより実現される。
ＣＰＵ１２１は、かかる再生プログラム１２３ｈを実行することにより、ディスクドライブ部８とともに再生手段として機能する。
【００５０】
ここで、再生プログラム１２３ｈの実行による放送番組データの分割再生処理について、図６を用いて、より具体的に説明する。
【００５１】
図６（ａ）は、２分割された図３（ｂ）の放送番組データを対象として、決定プログラム１２３ｅの実行において、区間Ａの再生モードが第１モード、区間Ｂの再生モードが第２モードと決定され、さらに、区間Ａの再生速度の倍率（第１倍率）が２倍、区間Ｂの再生速度の倍率（第２倍率）が１．５倍と決定された場合に、再生プログラム１２３ｈ実行される分割再生処理を説明する図である。
図６（ａ）に示すように、ＣＰＵ１２１は、分割再生キー２１ｄのキー操作に基づいて、ディスクドライブ部８において磁気ディスク８１に記録された放送番組データを読み出すと、磁気ディスク８１のヘッダ領域に記録された無声区間及び有声区間の位置情報に基づいて、読み出した放送番組データのうち、区間Ａの無声区間であるＳ１・Ｓ３をスキップするとともに、区間Ａの有声区間であるＳ２・Ｓ４を２倍の再生速度で早送り再生する。また、ＣＰＵ１２１は、区間Ｂの無声区間であるＳ６・Ｓ８を１．５倍の再生速度で早送り再生するとともに、区間Ｂの有声区間であるＳ５・Ｓ７を通常再生する。
【００５２】
また、図６（ｂ）は、３分割された図３（ｃ）の放送番組データを対象として、決定プログラム１２３ｅの実行において、区間Ａの再生モードが第４モード、区間Ｂの再生モードが第３モード、区間Ｃの再生モードが第２モードと決定され、さらに、区間Ａの再生速度の倍率（第４倍率）が３倍、区間Ｂの再生速度の倍率（第３倍率）が２．５倍、区間Ｃの再生速度の倍率（第２倍率）が１．５倍と決定された場合に、再生プログラム１２３ｈ実行される分割再生処理を説明する図である。
図６（ｂ）に示すように、ＣＰＵ１２１は、分割再生キー２１ｄのキー操作に基づいて、ディスクドライブ部８において磁気ディスク８１に記録された放送番組データを読み出すと、磁気ディスク８１のヘッダ領域に記録された無声区間及び有声区間の位置情報に基づいて、読み出した放送番組データのうち、区間Ａの無声区間及び有声区間を含むＳ９〜Ｓ１１の映像を、フレーム取得プログラム１２３ｇの実行により一定間隔で読み出されたフレームデータのみを表示させることによりスライド表示させるとともに、３倍の再生速度で早送り再生する。また、ＣＰＵ１２１は、区間Ｂの無声区間及び有声区間を含むＳ１２〜Ｓ１４を２．５倍の再生速度で早送り再生するとともに、特に、区間Ｂの有声区間であるＳ１３の音声を、文字情報化プログラム１２３ｆの実行により文字情報に変換させ、変換された文字情報を映像データに重畳させてテキスト形式で出力する。さらに、ＣＰＵ１２１は、区間Ｃの無声区間であるＳ１５・１７を２倍の再生速度で早送り再生するとともに、区間Ｂの有声区間であるＳ１６を通常再生する。
【００５３】
以上説明した本発明にかかるＨＤＤレコーダ１００によれば、チューナ４により映像データ及び音声データから成る放送番組データが受信され、ＣＰＵ１２１による記録プログラム１２３ａの実行により、チューナ４により受信された放送番組データが記録され、特定プログラム１２３ｂの実行により、チューナ４により受信された音声データにおける無声区間及び有声区間が特定され、位置情報記憶プログラム１２３ｃの実行により、特定プログラム１２３ｂの実行により特定された無声区間及び有声区間に関する音声データの位置情報が記憶され、分割プログラム１２３ｄの実行により、記録プログラム１２３ａの実行により記録された放送番組データが、複数の区間データに分割され、決定プログラム１２３ｅの実行により、分割プログラム１２３ｄの実行により分割された各区間データの再生モードが決定されるとともに、各区間データの当該再生モードにおける再生速度の倍率が、前側の区間データから後側の区間データにかけて徐々に小さくなるように決定され、文字情報化プログラム１２３ｆの実行により、位置情報記憶プログラム１２３ｃの実行により記憶された位置情報に基づいて、区間データから抽出された有声区間の音声が文字情報に変換され、フレーム取得プログラム１２３ｇの実行により、区間データに含まれる映像データから、フレームデータが所定の間隔で取得され、再生プログラム１２３ｈの実行により、決定プログラム１２３ｅの実行により決定された各区間データの再生モードに基づいて、複数の区間データが順次再生される。また、ＣＰＵ１２１による再生プログラム１２３ｈの実行により、複数の区間データのうち、決定プログラム１２３ｅの実行により決定された再生モードが第１モードである第１区間データの場合、位置情報記憶プログラム１２３ｃの実行により記憶された位置情報に基づいて、第１区間データにおける無声区間の放送番組データがスキップされて、第１区間データにおける有声区間の放送番組データが第１倍率の再生速度で早送り再生され、複数の区間データのうち、決定プログラム１２３ｅの実行により決定された再生モードが第２モードである第２区間データの場合、位置情報記憶プログラム１２３ｃの実行により記憶された位置情報に基づいて、第２区間データにおける無声区間の放送番組データが第２倍率の再生速度で早送り再生されるとともに、第２区間データにおける有声区間の放送番組データが通常再生され、複数の区間データのうち、決定プログラム１２３ｅの実行により決定された再生モードが第３モードである第３区間データの場合、位置情報記憶プログラム１２３ｃの実行により記憶された位置情報に基づいて、当該第３区間データにおける有声区間の音声データが、文字情報化プログラム１２３ｆの実行により変換された文字情報の形式で再生され、複数の区間データのうち、決定プログラム１２３ｅの実行により決定された再生モードが第４モードである第４区間データの場合、第４区間データの映像データが、フレーム取得プログラム１２３ｇの実行により取得されたフレームデータのみが再生されることにより、スライド形式で再生される。
したがって、放送番組データが複数の区間データに分割され、各区間データがそれぞれ個別に決定された再生モードで再生されることとなって、放送番組をその内容に応じてより効率的に視聴できるように再生することができる番組記録再生装置を提供することができる。具体的には、第１区間データを再生する場合、セリフ等の無い無声区間を飛ばして、セリフ等の有る有声区間のみを再生することができる。また、第２区間データを再生する場合、セリフ等の無い無声区間を速いスピードで再生するとともに、セリフ等の有る有声区間を通常のスピードで再生することができる。また、第３区間データを再生する場合、セリフをテキストにして表示することができる。さらに、第４データを再生する場合、映像をスライド形式で表示することができる。さらに、放送番組の前側部分をより速いスピードで再生するとともに、放送番組の後側部分をより遅いスピードで再生されるため、番組の後側部分の重要度が高い放送番組を、より効率的に視聴することができる。
【００５４】
なお、本発明の実施の形態は、上記実施の形態で例示したものに限られることなく、発明の趣旨を逸脱しない範囲において、種々の改良並びに設計の変更を行っても良い。
例えば、第４モードにより第４区間データの再生を行う際、音声データは出力しなくても良く、また、第４倍率の再生速度でスライド表示される映像とともに出力する構成や、文字情報として出力する構成であっても良い。また、第４モードによるスライド表示は、第４区間データのうちの有声区間のみを対象として行っても良い。
また、ＣＰＵ１２１は、第３モードにより第３区間データの再生を行う際、無声区間を第３倍率の再生速度で再生するのではなく、スキップしたり、第３倍率と異なる再生速度で再生する構成であっても良い。
また、複数の区間データへの分割は、ユーザにより入力された分割数に、等間隔で分割する場合に限られることなく、ＥＰＧ情報やシーンの検出処理に基づいて、内容等が切り替わる部分を検出して分割する構成であっても良く、また、ユーザが、放送番組データの分割数のみならず、各区間データの長さを指定できる構成であっても良い。
また、図３及び図６に例示する放送番組データは模式的なものであり、放送番組データ・無声区間・有声区間の長さ及び構成は、これに限られない。
【００５５】
また、上記実施形態では、ユーザにより設定された分割数と各区間データの再生モードに基づいて、放送番組データの再生が行われる構成について説明したが、例えば、ＥＰＧ抽出部５１において放送番組データから抽出されたＥＰＧ情報に基づいて放送番組データのジャンルを特定し、特性されたジャンルに基づいて分割数と各区間データの再生モードが自動的に決定される構成であっても良い。
具体的には、例えば、ＥＰＧ情報のジャンル情報に基づいて特定された放送番組データのジャンルが「ニュース番組」である場合に、自動的に、放送番組データの前側部分をより遅いスピードで再生するとともに、後側部分をより速いスピードで再生するようにすれば、ニュース番組において一般的に重要度が高いとされるトップニュース部分をじっくりと視聴することができ、その他の部分を速いスピードで視聴することができる。また、例えば、ＥＰＧ情報のジャンル情報に基づいて特定された放送番組データのジャンルが「映画」である場合に、自動的に、放送番組データの前側部分をより速いスピードで再生し、後側部分をより遅いスピードで再生するようにすれば、映画において一般的に重要度が高いとされるクライマックス部分をじっくりと視聴することができ、その他の部分を速いスピードで視聴することができる。この構成によれば、効率的な視聴が可能となるとともに、さらに、ユーザの負担を軽減させることができる。
【図面の簡単な説明】
【００５６】
【図１】本実施形態におけるＨＤＤレコーダの要部構成を例示するブロック図である。
【図２】分割プログラムの実行に際して、テレビジョン受像機の映像表示部に表示される番組分割数設定画面の例示である。
【図３】分割プログラムの実行による放送番組データの分割を説明するための図である。
【図４】放送番組データの分割数が２分割と指定された場合に、テレビジョン受像機の映像表示部に表示される再生モード設定画面の例示である。
【図５】放送番組データの分割数が３分割と指定された場合に、テレビジョン受像機の映像表示部に表示される再生モード設定画面の例示である。
【図６】再生プログラムの実行による放送番組データの分割再生処理を説明するための図である。
【符号の説明】
【００５７】
１００    ＨＤＤレコーダ（番組記録再生装置）
４        チューナ（受信手段）
８        ディスクドライブ部（記録手段、再生手段）
１０      テキスト変換部（文字情報化手段）
１２１    ＣＰＵ（受信手段、記録手段、特定手段、位置情報記憶手段、分割手段、決定手段、文字情報化手段、フレーム取得手段、再生手段）
１２３ａ  記録プログラム（記録手段）
１２３ｂ  特定プログラム（特定手段）
１２３ｃ  位置情報記憶プログラム（位置情報記憶手段）
１２３ｄ  分割プログラム（分割手段）
１２３ｅ  決定プログラム（決定手段）
１２３ｆ  文字情報化プログラム（文字情報化手段）
１２３ｇ  フレーム取得プログラム（フレーム取得手段）
１２３ｈ  再生プログラム（再生手段）
【図１】
2008199456.tif 000003
【図２】
2008199456.tif 000004
【図３】
2008199456.tif 000005
【図４】
2008199456.tif 000006
【図５】
2008199456.tif 000007
【図６】
2008199456.tif 000008